(57)【要約】通信機能を備えると共に、シークレット設定されたデータ及び／又はフォルダのアクセス及び表示を禁止するプライバシーモードを有する電子装置は、第１の内容及びシークレット設定されたデータ及び／又はフォルダの第２内容を記憶する記憶部と、待受画面、発着信画面又は電子メール送受信画面を表示する表示部と、シークレット設定されたデータ及び／又はフォルダの第２内容が待受画面、発着信画面又は電子メール送受信画面に設定されていると、プライバシーモード中は表示部に表示される画面の内容を切り替えて第２の内容の代わりに第１の内容を表示する制御部とを備え、第１の内容及び第２の内容は互いに異なるデータであり、第１の内容は、ブランク以外のデータである。
2004093415.tif 000002
【特許請求の範囲】
【請求項１】
通信機能を備えると共に、シークレット設定されたデータ及び／又はフォルダのアクセス及び表示を禁止するプライバシーモードを有する電子装置であって、
第１の内容及びシークレット設定されたデータ及び／又はフォルダの第２の内容を記憶する記憶部と、
待受画面、発着信画面又は電子メール送受信画面を表示する表示部と、
該シークレット設定されたデータ及び／又はフォルダの第２内容が待受画面、発着信画面又は電子メール送受信画面に設定されていると、該プライバシーモード中は該表示部に表示される画面の内容を切り替えて該第２の内容の代わりに該第１の内容を表示する制御部とを備え、
該第１の内容及び該第２の内容は互いに異なるデータであり、
該第１の内容は、ブランク以外のデータであることを特徴とする、電子装置。
【請求項２】
該第１の内容は、予め設定されているデフォルト内容であることを特徴とする、請求の範囲第１項記載の電子装置。
【請求項３】
情報を入力するキー操作部を更に備え、
該第１の内容及び／又は該第２の内容は、該キー操作部の操作に応じて該記憶部に予め格納されることを特徴とする、請求の範囲第１項記載の電子装置。
【請求項４】
該第１の内容及び／又は該第２の内容は、電子装置の外部から受信されることを特徴とする、請求の範囲第３項記載の電子装置。
【請求項５】
カメラを更に備え、
該第１の内容及び／又は該第２の内容は、該カメラにより撮像された画像データであることを特徴とする、請求の範囲第３項記載の電子装置。
【請求項６】
該第１及び第２の内容は、少なくとも画像データを含むことを特徴とする、請求の範囲第１項〜第５項のいずれか１項記載の電子装置。
【請求項７】
該制御手段は、該シークレット設定されたデータ及び／又はフォルダの第２内容を待受画面、発着信画面又は電子メール送受信画面に設定する手段を含むことを特徴とする、請求の範囲第１項〜第６項のいずれか１項記載の電子装置。
【請求項８】
該第１の内容は静止画像データ又は動画像データであり、該第２の内容は静止画像データ又は動画像データであることを特徴とする、請求の範囲第１項〜第７項のいずれか１項記載の電子装置。
【請求項９】
該第１の内容は画像データ及び対応する音声データからなり、該第２の内容は画像データ及び対応する音声データからなることを特徴とする、請求の範囲第１項〜第８項のいずれか１項記載の電子装置。
【発明の詳細な説明】
【技術分野】  本発明は、電子装置に係り、特に携帯電話のような表示機能及び通信機能を備えた電子装置において、待受画面、発着信画面や電子メール送受信画面に、ユーザが秘密にしたい画像データを設定できる電子装置に関する。
本明細書では、電子装置とは、携帯電話、携帯型コンピュータ等の、表示機能及び通信機能を備えた装置を言う。又、電子装置は、携帯型の装置に限定されるものではない。
【背景技術】  携帯電話には、所謂プライバシーモードが設定可能なものがある。ユーザは、プライバシーモードの設定がオン（有効）の場合に秘密にしたい電話帳、電子メール、画像等のフォルダに対して予めシークレット設定をしておくことにより、携帯電話の置き忘れや他人に携帯電話を貸す場合に、他人に見られたくない情報のアクセス及び表示を防止することができる。例えば、所定の画像のフォルダに対してシークレット設定がされており、プライバシーモードの設定がオンの場合には、このシークレット設定された所定の画像のフォルダが所謂シークレットフォルダとなっているので、ユーザの暗証番号等を入力してプライバシーモードの設定をオフ（無効）にしない限り、このシークレットフォルダをアクセスしてシークレットフォルダ内の画像を表示することはできない。
他方、近年の携帯電話には、待受画面、発着信画面や電子メール送受信画面に、デフォルト画像データに加え、ユーザが設定した画像データを設定可能な機能が備えられている。
ところが、例えば携帯電話の待受画面にシークレットフォルダを設定してしまうと、待受画面が表示されなくなるのを防止するために、プライバシーモードの設定をオンとすることができなくなってしまうという問題があった。又、プライバシーモードの設定がオンの状態では、シークレットフォルダへのアクセスが禁止されているために、待受画面にシークレットフォルダを設定することができないという問題があった。つまり、従来の携帯電話では、プライバシーモードの設定がオンであるかオフであるかにかかわらず、待受画面、発着信画面や電子メール送受信画面にシークレットデータ又はフォルダを設定することができないという問題があった。
尚、上記プライバシーモード及びシークレットフォルダについては、例えば２００２年１１月発行の富士通株式会社製携帯電話Ｆ５０４ｉＳ（最大３０分録画ビデオケータイ）のカタログ等に記載されている。
【発明の開示】
本発明は、上記の問題を解決した新規、且つ、有用な電子装置を提供することを概括的目的とする。
本発明のより具体的な目的は、プライバシーモードの設定がオンであるかオフであるかにかかわらず、待受画面、発着信画面や電子メール送受信画面にシークレットデータ又はフォルダを設定可能とし、且つ、画面に設定されたシークレットデータ又はフォルダの表示をプライバシーモードの設定がオンの際に確実に禁止する電子装置を提供することにある。
本発明の他の目的は、通信機能を備えると共に、シークレット設定されたデータ及び／又はフォルダのアクセス及び表示を禁止するプライバシーモードを有する電子装置であって、第１の内容及びシークレット設定されたデータ及び／又はフォルダの第２内容を記憶する記憶部と、待受画面、発着信画面又は電子メール送受信画面を表示する表示部と、該シークレット設定されたデータ及び／又はフォルダの第２内容が待受画面、発着信画面又は電子メール送受信画面に設定されていると、該プライバシーモード中は該表示部に表示される画面の内容を切り替えて該第２の内容の代わりに該第１の内容を表示する制御部とを備え、該第１の内容及び該第２の内容は互いに異なるデータであり、該第１の内容は、ブランク以外のデータであることを特徴とする電子装置を提供することにある。本発明になる電子装置によれば、プライバシーモードの設定がオンであるかオフであるかにかかわらず、待受画面、発着信画面や電子メール送受信画面にシークレットデータ又はフォルダを設定することができると共に、画面に設定されたシークレットデータ又はフォルダの表示をプライバシーモードの設定がオンの際に確実に禁止することができる。
本発明の更に他の目的及び特長は、以下図面と共に述べる説明より明らかとなろう。
【図面の簡単な説明】  図１は、本発明になる電子装置の一実施例を示すブロック図、
図２は、電子装置の一実施例の蓋部が開けられた状態を示す図、
図３は、電子装置の一実施例の蓋部が閉められた状態を示す図、
図４は、シークレット設定処理を説明するフローチャート、
図５は、暗証番号入力画面を示す図、
図６は、シークレット設定画面を示す図、
図７は、電話帳及び履歴データに対するシークレット設定画面を示す図、
図８は、電子メールに対するシークレット設定画面を示す図、
図９は、スケジュールデータ及びツゥドゥー（ＴｏＤｏ）データに対するシークレット設定画面を示す図、
図１０は、画面設定処理を説明するフローチャート、
図１１は、記憶部に記憶された画像データを示す図、
図１２は、待受画面を示す図、
図１３は、設定された待受画面を示す図、
図１４は、発着信画面を示す図、
図１５は、設定された発着信画面を示す図、
図１６は、電子メール送受信画面を示す図、
図１７は、設定された電子メール送受信画面を示す図、
図１８は、画面表示処理を説明するフローチャート、
図１９は、デフォルト画像データを示す図、
図２０は、画像データがデフォルト画像データと置き換えられた待受画面を示す図である。
【発明を実施するための最良の形態】  以下に、本発明になる電子装置の実施例を、図面と共に説明する。
図１は、本発明になる電子装置の一実施例を示すブロック図である。本実施例では、本発明が携帯電話に適用されている。
図１に示す携帯電話は、アンテナ１、無線回路部２、通信制御部３、記憶部４、キー操作部５、音声コーデック６、スピーカ７、マイクロホン８、メイン表示部９、サブ表示部１０及びカメラ１１からなる。尚、無線回路部２、記憶部４、キー操作部５、音声コーデック６、メイン表示部９、サブ表示部１０及びカメラ１１は、１又は複数のバスを介して通信制御部３と接続される構成であっても良いことは言うまでもない。
図２は、図１に示す電子装置の蓋部１２が開けられた状態を示す図であり、図３は、図１に示す電子装置の蓋部１２が閉められた状態を示す図である。蓋部１２が開けられた状態では、入力操作部５の操作をしながらメイン表示部９上の表示を確認することができる。又、蓋部１２が閉められた状態では、サブ表示部１０上の表示を確認することができる。
アンテナ１は、携帯電話が無線基地局（図示せず）と通信を行う際の電波の送受信に使用される。無線回路部２は、アンテナ１で受信した電波の復調を行って受信データを生成すると共に、送信データを所定の周波数へ変調してアンテナ１を介して変調信号を出力する。
通信制御部３は、例えばＣＰＵ等のプロセッサからなり、無線回路部で生成された復調信号を復号化すると共に、符号化した送信データを無線回路部２へ出力して通信を行わせる等の制御を行う。
記憶部４は、フラッシュメモリやＳＲＡＭ（Ｓｔａｔｉｃ  Ｒａｎｄｏｍ  Ａｃｃｅｓｓ  Ｍｅｍｏｒｙ）等からなり、通信制御部３を構成するプロセッサが実行するアプリケーションプログラムを含む各種プログラム、電話番号データ、送受信した電子メールデータ、受信した画像データ、カメラ１１で撮像した画像データ等を記憶する。又、記憶部４は、メイン表示部９及びサブ表示部１０に表示するメニュー、電話番号、待受画面、発着信画面や電子メール送受信画面等の画像データ、文字データや、スピーカ７より出力する各種警告音、着信音及びメロディー、メッセージ等の音声データも記憶する。記憶部４に記憶される音声データには、送受信した音声データ、ユーザがマイクロホン８から入力された音声データ、予め設定されている着信音等に関するデフォルト音声データ等が含まれる。更に、記憶部４に記憶される画像データは、静止画像データであっても、動画像データであっても、静止画像データ及び動画像データの両方であっても良い。
キー操作部５は、テンキー及び機能キー等を含み、電話番号入力、文字入力やメニュー操作を行う際に操作される。尚、キー操作部５は、入力用のダイヤル（回転ダイヤル）やタッチパネル等を含む構成であっても良い。
音声コーデック６は、通信制御部３により復号化された音声データを音声符号化方式の仕様で符号化した後に音声信号にアナログ変換し、スピーカ７へ出力すると共に、マイクロホン８から入力された音声信号をデジタル変換した後に音声符号化方式の仕様で符号化して音声データとして通信制御部３へ出力する。スピーカ７は、説明の便宜上アンプを含むものとし、音声コーデック６から入力される音声信号を音声として出力する。マイクロホン８は、説明の便宜上アンプを含むものとし、ユーザ（話者）の音声を入力して音声信号を音声コーデック６へ出力する。
メイン表示部９は、液晶表示（ＬＣＤ）やエレクトロルミネセンス（ＥＬ）ディスプレイ等からなり、メニュー、電話番号、待受画面、発着信画面や電子メール送受信画面等の画像データ、文字データ等を表示する。サブ表示部１０は、メイン表示部９と同様に、液晶表示（ＬＣＤ）やエレクトロルミネセンス（ＥＬ）ディスプレイ等からなり、メニュー、電話番号、待受画面、発着信画面や電子メール送受信画面等の画像データ、文字データ等を表示する。本実施例では、メイン表示部９及びサブ表示部１０は、いずれもフルカラー表示を行う。
カメラ１１は、撮像した画像の画像データを通信制御部３に入力する。カメラ１１自体の構成は周知である。
本実施例では、既存の携帯電話のように、キー操作部５の操作により、プライバシーモードが設定可能であるものとする。ユーザは、プライバシーモードの設定がオン（有効）の場合（即ち、プライバシーモードの場合）に秘密にしたいデータやフォルダに対して予めシークレット設定をしておくことにより、携帯電話の置き忘れや他人に携帯電話を貸す場合に、他人に見られたくない情報のアクセス及び表示を防止することができる。例えば、所定の画像のフォルダに対してシークレット設定がされており、プライバシーモードの設定がオンの場合には、このシークレット設定された所定の画像のフォルダが所謂シークレットフォルダとなっているので、ユーザの暗証番号等を入力してプライバシーモードの設定をオフ（無効）（即ち、プライバシーモード以外のモード）にしない限り、このシークレットフォルダをアクセスしてシークレットフォルダ内の画像を表示することはできない。尚、プライバシーモードの設定がオンであっても、シークレット設定がされていないデータやフォルダは、アクセス及び表示が可能である。又、プライバシーモードの設定がオフ（無効）の場合には、シークレット設定の有無にかかわらず、全てのデータ及びフォルダのアクセス及び表示が可能である。
他方、近年の携帯電話には、待受画面、発着信画面や電子メール送受信画面に、デフォルト画像データに加え、ユーザが設定した画像データを設定可能な機能が備えられている。
本実施例では、説明の便宜上、プライバシーモードでシークレット設定が可能なデータ及びフォルダには、画像データ及び画像フォルダ、ブックマーク（Ｂｏｏｋｍａｒｋ）データ及びブックマークフォルダ、スケジュールデータ、ツゥドゥー（ＴｏＤｏ）データ、アプリケーションデータ及びアプリケーションフォルダ、電子メールデータ、電子メールフォルダ及び電話帳及び履歴データ等が含まれる。尚、本実施例では、電話帳及び履歴データに対してシークレット設定がされている場合には、プライバシーモードの設定がオンであるかオフであるかにかかわらず、電話帳及び履歴データのアクセス及び表示が禁止されるロック状態になるものとする。
図４は、シークレット設定処理を説明するフローチャートである。同図に示す処理は、図１に示す通信制御部３を構成するプロセッサにより、キー操作部５からの入力に基づいて行われる。
図４に示すシークレット設定処理は、キー操作部５の操作によりプライバシーモードのシークレット設定処理が指定されると開始される。同図中、ステップＳ１は、図５に示す如き暗証番号入力画面をメイン表示部９に表示して、ユーザに暗証番号の入力を促す。図５は、暗証番号入力画面を示す図である。ステップＳ２は、キー操作部５が操作されて暗証番号の入力があったか否かを判定し、判定結果がＮＯであると、処理はステップＳ３へ進む。ステップＳ３は、暗証番号入力画面を表示してから所定時間が経過したか否かを判定し、判定結果がＹＥＳの場合には、シークレット設定処理は終了する。他方、ステップＳ３の判定結果がＮＯであると、処理はステップＳ２へ戻る。
ステップＳ２の判定結果がＹＥＳであると、ステップＳ４は、キー操作部５の操作に応じたシークレット設定を行う。図６は、シークレット設定画面を示す図である。図６において、シークレット設定を行える項目としては、上記電話帳及び履歴データに対応する「電話帳・履歴」、上記電子メールに対応する「メール」、上記スケジュールデータ及びツゥドゥー（ＴｏＤｏ）データに対応する「スケジュール・ＴｏＤｏ」、上記静止画像データに対応する「マイピクチャ」、上記動画像データに対応する「マイムービー」、上記カメラ１１で撮像した画像データ等に対応する「画面メモ」、上記ブックマークデータに対応する「Ｂｏｏｋｍａｒｋ」が含まれる。
「電話帳・履歴」に対しては、「ロック」又は「ロックなし」の状態が設定可能である。図７は、電話帳及び履歴データに対するシークレット設定画面を示す図である。
「メール」に対しては、特定の電子メールを指定してシークレット設定を行う「シークレットフォルダ」、全ての電子メールに対してシークレット設定を行う「全て」、全ての電子メールに対してシークレット設定を行わない「設定なし」の状態が設定可能である。図８は、電子メールに対するシークレット設定画面を示す図である。
「スケジュール・ＴｏＤｏ」に対しては、特定のスケジュールデータ又はＴｏＤｏデータを指定してシークレット設定を行う「シークレットデータ」、全てのスケジュールデータ又はＴｏＤｏデータに対してシークレット設定を行う「全て」、全てのスケジュールデータ又はＴｏＤｏデータに対してシークレット設定を行わない「設定なし」の状態が設定可能である。図９は、スケジュールデータ及びツゥドゥー（ＴｏＤｏ）データに対するシークレット設定画面を示す図である。
「マイピクチャ」、「マイムービー」及び「画面メモ」に対しては、特定の画像フォルダ又は画像データを指定してシークレット設定を行う「シークレットデータ／フォルダ」、全ての画像フォルダ又は画像データに対してシークレット設定を行う「全て」、全ての画像フォルダ又は画像データに対してシークレット設定を行わない「設定なし」の状態が設定可能である。画像データに対するシークレット設定画面は、図８及び図９と同様であるため、その図示及び説明は省略する。
ステップＳ５は、ステップＳ４で行われたシークレット設定がキー操作部５の操作により確定されたか否かを判定し、判定結果がＮＯであると、処理はステップＳ３へ進む。他方、ステップＳ５の判定結果がＹＥＳであると、ステップＳ６は、キー操作部５の操作によりシークレット設定が終了されたか否かを判定する。ステップＳ６の判定結果がＮＯであると、処理はステップＳ２へ戻る。ステップＳ６の判定結果がＹＥＳであると、シークレット設定処理は終了する。
図１０は、画面設定処理を説明するフローチャートである。同図に示す処理は、図１に示す通信制御部３を構成するプロセッサにより、キー操作部５からの入力に基づいて行われる。
図１０に示す画面設定処理は、キー操作部５の操作により画面設定処理が指定されると開始される。同図中、ステップＳ１１は、画像データ及び／又は文字データ、及び／又は音声データを含む入力データがあるか否かを判定する。入力データは、携帯電話の外部から受信されても、マイクロホン８から入力されても、カメラ１１から入力されても良い。携帯電話の外部から受信される入力データは、画像データ及び／又は文字データ、及び／又は音声データである。マイクロホン８から入力される入力データは音声データであり、カメラ１１から入力される入力データは画像データである。ステップＳ１１の判定結果がＹＥＳであると処理はステップＳ１２へ進み、ＮＯであると処理はステップＳ１４へ進む。
ステップＳ１２は、キー操作部５の操作により、入力データの記憶が指示されてたか否かを判定する。ステップＳ１２の判定結果がＹＥＳであると処理はステップＳ１３へ進み、ＮＯであると処理はステップＳ１４へ進む。ステップＳ１３は、入力データを記憶部４に記憶する。図１１は、記憶部４に記憶された画像データＤ１を示す図であり、例えばカメラ１１から入力された画像データである。
ステップＳ１４は、キー操作部５の操作により、待受画面の設定が指示されたか否かを判定する。ステップＳ１４の判定結果がＹＥＳであると処理はステップＳ１５へ進み、ＮＯであると処理はステップＳ１６へ進む。図１２は、待受画面を示す図である。ステップＳ１５は、キー操作部５の操作に応じて、ステップ１３で記憶部４に記憶された画像データＤ１又は記憶部４に予めデフォルト画像データとして記憶されている画像データＤ２を、待受画面に貼り付ける。これにより、画像データＤ１を待受画面に張り付けた場合には、図１３に示す如き待受画面が設定される。図１３は、設定された待受画面を示す図である。
ステップＳ１６は、キー操作部５の操作により、発着信画面の設定が指示されたか否かを判定する。ステップＳ１６の判定結果がＹＥＳであると処理はステップＳ１７へ進み、ＮＯであると処理はステップＳ１８へ進む。図１４は、発着信画面を示す図である。ステップＳ１７は、キー操作部５の操作に応じて、ステップ１３で記憶部４に記憶された画像データＤ１又は記憶部４部に予めデフォルト画像データとして記憶されている画像データＤ２を、発着信画面に貼り付ける。これにより、画像データＤ１を発着信画面に張り付けた場合には、図１５に示す如き発着信画面が設定される。図１５は、設定された発着信画面を示す図である。
ステップＳ１８は、キー操作部５の操作により、電子メール送受信画面の設定が指示されたか否かを判定する。ステップＳ１８の判定結果がＹＥＳであると処理はステップＳ１９へ進み、ＮＯであると画面設定処理は終了する。図１６は、電子メール送受信画面を示す図である。ステップＳ１９は、キー操作部５の操作に応じて、ステップ１３で記憶部４に記憶された画像データＤ１又は記憶部４部に予めデフォルト画像データとして記憶されている画像データＤ２を、電子メール送受信画面に貼り付ける。これにより、画像データＤ１を電子メール送受信画面に張り付けた場合には、図１７に示す如き電子メール送受信画面が設定される。図１７は、設定された電子メール送受信画面を示す図である。ステップＳ１９の後、画面設定処理は終了する。
図１８は、画面表示処理を説明するフローチャートである。同図に示す処理は、図１に示す通信制御部３を構成するプロセッサにより、キー操作部５からの入力に基づいて行われる。
待受画面の場合、図１８に示す画面表示処理は、携帯電話の電源オン時等の、操作後に開始される。同図中、ステップＳ２１は、プライバシーモードがオンに設定されているか否か、即ち、プライバシーモードであるか否かを判定する。ステップＳ２１の判定結果がＹＥＳであると、ステップＳ２２は、図１３に示す待受画面中の画像データＤ１を、図１９に示す如き予め設定されているデフォルト内容、即ち、デフォルト画像データＤ２に切り替えてメイン表示部９に表示する。図１９は、デフォルト画像データＤ２を示す図である。これにより、メイン表示部９には図２０に示す如き待受画面が表示され、画面表示処理は終了する。図２０は、画像データＤ１がデフォルト画像データＤ２と置き換えられた待受画面を示す図である。尚、デフォルトデータＤ２は、キー操作部５の操作に応じて記憶部４に予め格納されても良い。
他方、ステップＳ２１の判定結果がＮＯであると、ステップ２３は、図１３に示す待受画面をそのままメイン表示部９に表示し、画面表示処理は終了する。
発着信画面の場合、図１８に示す画面表示処理は、携帯電話の発着信をトリガとして開始される。この場合、ステップＳ２１の判定結果がＹＥＳであると、ステップＳ２２は、図１５に示す発着信画面中の画像データＤ１を、図１９に示す如き予め設定されているデフォルト内容、即ち、デフォルト画像データＤ２に切り替えてメイン表示部９に表示する。これにより、メイン表示部９には図１５に示す画像データＤ１がデフォルト画像データＤ２で置き換えられた発着信画面が表示され、画面表示処理は終了する。画像データＤ１がデフォルト画像データＤ２と置き換えられた発着信画面の図示は省略する。
同様にして、電子メール送受信画面の場合、図１８に示す画面表示処理は、携帯電話の電子メール送受信をトリガとして開始される。この場合、ステップＳ２１の判定結果がＹＥＳであると、ステップＳ２２は、図１７に示す電子メール送受信画面中の画像データＤ１を、図１９に示す如き予め設定されているデフォルト内容、即ち、デフォルト画像データＤ２に切り替えてメイン表示部９に表示する。これにより、メイン表示部９には図１７に示す画像データＤ１がデフォルト画像データＤ２で置き換えられた電子メール送受信画面が表示され、画面表示処理は終了する。画像データＤ１がデフォルト画像データＤ２と置き換えられた電子メール送受信画面の図示は省略する。
上記画像データＤ１（即ち、デフォルト内容）及び／又は画像データＤ２（即ち、シークレット設定されたデータ及び／又はフォルダの内容）は、キー操作部５の操作に応じて記憶部４に予め格納されていても、携帯電話の外部から受信されて記憶部４に格納されていても、カメラ１１により撮像されて記憶部４に格納されていても良い。
尚、待受画面、発着信画面又は電子メール送受信画面に貼り付けられるデータは、画像データに限定されず、音声データであっても、画像データと音声データの組み合わせであっても良い。同様に、デフォルトデータは、画像データに限定されず、音声データであっても、画像データと音声データの組み合わせであっても良い。更に、貼り付けれられるデータが動画像データの場合、デフォルトデータは静止画像データであっても良い。又、貼り付けられるデータが音声データと画像データの組み合わせの場合、デフォルトデータは画像データのみからなるようにしても良い。つまり、貼り付けられるデータとデフォルトデータとは、同じ種類のデータである必要はない。更に、デフォルトデータが画像データの場合、何も表示されていないことから携帯電話が故障であると誤って判断することを防止するために、何も表示されないブランク以外のデータであることが好ましい。
ところで、上記実施例では、メイン表示部９表示される画面がプライバシーモード中に切り替えられる場合について説明したが、切り替えられる画面はサブ表示部１０に表示されるものであっても、メイン表示部９及びサブ表示部１０の両方に表示されるものであっても良いことは言うまでもない。
上記実施例では、プライバシーモードは単一のモードであり、単一の暗証番号により設定されるが、複数の暗証番号等により、セキュリティレベルの異なる複数のプライバシーモードを設定するようにしても良いことは言うまでもない。この場合、携帯電話の状態に応じて、対応するセキュリティレベルのプライバシーモードがオン（有効）となるようにすれば良い。
又、上記実施例では、シークレット設定はオン／オフの２つの状態しか取り得ないが、３以上のシークレットレベルを設定可能としても良いことは言うまでもない。この場合、携帯電話の状態に応じて、対応するシークレットレベルのデータ又はフォルダのアクセス及び表示が禁止されるようにすれば良い。
尚、本発明は、上記実施例に限定されるものではなく、本発明の範囲内で種々の改良及び変更が可能であることは、言うまでもない。
【図１】
2004093415.tif 000003
【図２】
2004093415.tif 000004
【図３】
2004093415.tif 000005
【図４】
2004093415.tif 000006
【図５】
2004093415.tif 000007
【図６】
2004093415.tif 000008
【図７】
2004093415.tif 000009
【図８】
2004093415.tif 000010
【図９】
2004093415.tif 000011
【図１０】
2004093415.tif 000012
【図１１】
2004093415.tif 000013
【図１２】
2004093415.tif 000014
【図１３】
2004093415.tif 000015
【図１４】
2004093415.tif 000016
【図１５】
2004093415.tif 000017
【図１６】
2004093415.tif 000018
【図１７】
2004093415.tif 000019
【図１８】
2004093415.tif 000020
【図１９】
2004093415.tif 000021
【図２０】
2004093415.tif 000022
【国際調査報告】
2004093415.tif 000023
2004093415.tif 000024
2004093415.tif 000025
2004093415.tif 000026